(57)【特許請求の範囲】
【請求項１】
原稿画像を記憶する記憶装置と、前記原稿画像を表示する表示部と、前記原稿画像を用紙に画像形成する画像形成部と、ユーザからの指示の入力を受け付ける入力部とを備える画像形成装置であって、
１または複数のページで構成されたプレビュー画像を前記表示部に表示させることを指示するプレビュー指示手段と、
前記表示部に表示された複数の原稿画像からユーザに選択された１または複数の原稿画像を抽出して抽出画像として特定する抽出画像特定手段と、
前記表示部に表示された前記プレビュー画像のうち、ユーザに選択された１つのページを貼付ページとして特定する貼付ページ特定手段と、
前記抽出画像特定手段によって特定された抽出画像を前記貼付ページ特定手段によって特定された貼付ページに貼り付け、該貼付ページに貼り付けられた該抽出画像の数に基づいて、該貼付ページに対する該抽出画像の大きさを決定して、前記プレビュー画像を編集するプレビュー編集手段とを備え、
前記画像形成部は、前記プレビュー編集手段で編集された前記プレビュー画像を用紙に画像形成すること
を特徴とする画像形成装置。
【請求項２】
請求項１に記載の画像形成装置であって、
前記貼付ページに貼り付けられた前記抽出画像に対して画像処理を行うプレビュー画像処理手段を備えること
を特徴とする画像形成装置。
【請求項３】
請求項２に記載の画像形成装置であって、
前記プレビュー画像処理手段は、前記画像処理として前記抽出画像の拡大、縮小、移動、および回転を行うこと
を特徴とする画像形成装置。
【請求項４】
請求項１から請求項３までのいずれか１つに記載の画像形成装置であって、
前記プレビュー画像編集手段で編集された前記プレビュー画像を前記記憶装置に記憶させることを指示するプレビュー記憶指示手段を備えること
を特徴とする画像形成装置。
【請求項５】
請求項１から請求項４までのいずれか１つに記載の画像形成装置であって、
前記貼付ページに貼り付けられた前記抽出画像に基づいて、前記貼付ページのレイアウトをページレイアウト情報として前記記憶装置に記憶させることを指示するレイアウト記憶指示手段と、
前記ページレイアウト情報に基づいて、前記プレビュー画像のページのレイアウトを設定するレイアウト設定手段とを備えること
を特徴とする画像形成装置。
【請求項６】
請求項５に記載の画像形成装置であって、
前記抽出画像特定手段は、前記抽出画像に加えて新たに抽出された新規抽出画像を特定し、
前記レイアウト設定手段は、設定したページのレイアウトに基づいて、前記新規抽出画像を前記プレビュー画像のページに貼り付けること
を特徴とする画像形成装置。
【請求項７】
原稿画像を記憶する記憶装置と、前記原稿画像を表示する表示部と、前記原稿画像を用紙に画像形成する画像形成部と、ユーザからの指示の入力を受け付ける入力部とを備える画像形成装置における画像編集方法であって、
プレビュー指示手段に、１または複数のページで構成されたプレビュー画像を前記表示部に表示させることを指示させるプレビュー指示ステップと、
抽出画像特定手段に、前記表示部に表示された複数の原稿画像からユーザに選択された１または複数の原稿画像を抽出して抽出画像として特定させる抽出画像特定ステップと、
貼付ページ特定手段に、前記表示部に表示された前記プレビュー画像のうち、ユーザに選択された１つのページを貼付ページとして特定させる貼付ページ特定ステップと、
プレビュー編集手段に、前記抽出画像特定手段によって特定された抽出画像を前記貼付ページ特定手段によって特定された貼付ページに貼り付け、該貼付ページに貼り付けられた該抽出画像の数に基づいて、該貼付ページに対する該抽出画像の大きさを決定して、前記プレビュー画像を編集させるプレビュー編集ステップとを含み、
前記画像形成部に、前記プレビュー編集手段で編集された前記プレビュー画像を用紙に画像形成させること
を特徴とする画像編集方法。
【発明の詳細な説明】
【技術分野】
【０００１】
本発明は、原稿画像を表示する表示部と、原稿画像を用紙に画像形成する画像形成部とを備えた画像形成装置に関し、画像形成装置における画像編集方法に関する。
【背景技術】
【０００２】
近年、デジタル複写機やプリンタ装置等の画像形成装置において、ユーザは、印刷する際に、原稿の色や濃度、用紙のサイズといった様々な設定を行うことができる。さらに、用紙の節約などを目的として、複数の原稿を１枚の用紙に集約して印刷する集約コピーを設定することができる。ユーザが複雑な設定などをしたとき、印刷ミスを防止するため、印刷に先立って、仕上がり結果のプレビュー画像を表示する技術が開発されている。
【０００３】
集約コピーにおいて、ユーザの利便性を向上させるため、表示された複数の原稿からユーザに選択された原稿を、用紙の先頭部分（例えば、上部左側）に配置する技術が検討されている（例えば、特許文献１参照。）。
【０００４】
また、集約コピーにおいて、用紙に原稿を配置する並び順の候補を複数提示し、ユーザに選択させる方法が提案されている（例えば、特許文献２参照。）。
【先行技術文献】
【特許文献】
【０００５】
【特許文献１】特開２００６−１６６２２０号公報
【特許文献２】特開２００８−２２８０２６号公報
【発明の概要】
【発明が解決しようとする課題】
【０００６】
しかしながら、特許文献１に記載の画像形成装置では、選択された原稿が用紙の先頭部分に配置されるだけであって、他の原稿に対してユーザの要望を反映することはできない。つまり、同じ用紙に配置した原稿が、それぞれ別の用紙に配置される可能性がある。また、１枚の用紙に配置する原稿の数について、全ての用紙に対して同様の設定が適用され、用紙ごとに個別の設定ができないことから、ユーザが自由にレイアウトできないという課題がある。
【０００７】
また、特許文献２に記載の画像処理装置では、予め設定された原稿の並び順の候補からユーザに選択させるだけであって、ユーザは、１枚の用紙に集約したい原稿を選択することができない。そのため、特許文献１に記載の画像形成装置と同様の課題がある。
【０００８】
本発明は、上記の課題を解決するためになされたものであり、ページ（用紙）に対するレイアウトの自由度を向上させた画像形成装置および画像編集方法を提供することを目的とする。
【課題を解決するための手段】
【０００９】
本発明に係る画像形成装置は、原稿画像を記憶する記憶装置と、前記原稿画像を表示する表示部と、前記原稿画像を用紙に画像形成する画像形成部と、ユーザからの指示の入力を受け付ける入力部とを備える画像形成装置であって、１または複数のページで構成されたプレビュー画像を前記表示部に表示させることを指示するプレビュー指示手段と、前記表示部に表示された複数の原稿画像からユーザに選択された１または複数の原稿画像を抽出して抽出画像として特定する抽出画像特定手段と、前記表示部に表示された前記プレビュー画像のうち、ユーザに選択された１つのページを貼付ページとして特定する貼付ページ特定手段と、前記抽出画像特定手段によって特定された抽出画像を前記貼付ページ特定手段によって特定された貼付ページに貼り付け、該貼付ページに貼り付けられた該抽出画像の数に基づいて、該貼付ページに対する該抽出画像の大きさを決定して、前記プレビュー画像を編集するプレビュー編集手段とを備え、前記画像形成部は、前記プレビュー編集手段で編集された前記プレビュー画像を用紙に画像形成することを特徴とする。
【００１０】
この構成によると、ユーザが必要とする画像と画像を貼り付けるページとを特定することによって、それぞれのページに対するレイアウトの自由度を向上させることができる。つまり、それぞれのページに対して貼り付ける画像の数を任意に設定することができる。
【００１１】
本発明に係る画像形成装置は、前記貼付ページに貼り付けられた前記抽出画像に対して画像処理を行うプレビュー画像処理手段を備えることを特徴とする。
【００１２】
この構成によると、画像を貼り付けてから画像処理を行うことができるので、さらに、レイアウトの自由度を向上させることができる。
【００１３】
本発明に係る画像形成装置では、前記プレビュー画像処理手段は、前記画像処理として前記抽出画像の拡大、縮小、移動、および回転を行うことを特徴とする。
【００１４】
この構成によると、レイアウトする際に、ユーザが必要とする画像処理を行うことができる。
【００１５】
本発明に係る画像形成装置は、前記プレビュー画像編集手段で編集された前記プレビュー画像を前記記憶装置に記憶させることを指示するプレビュー記憶指示手段を備えることを特徴とする。
【００１６】
この構成によると、ユーザによって編集されたプレビュー画像を記憶させ、記憶装置から読み出すことで繰り返し編集することができるようになる。
【００１７】
本発明に係る画像形成装置は、前記貼付ページに貼り付けられた前記抽出画像に基づいて、前記貼付ページのレイアウトをページレイアウト情報として前記記憶装置に記憶させることを指示するレイアウト記憶指示手段と、前記ページレイアウト情報に基づいて、前記プレビュー画像のページのレイアウトを設定するレイアウト設定手段とを備えることを特徴とする。
【００１８】
この構成によると、編集されたページのレイアウトを他のページに適用することによって、同様の操作をする手間を省略することができる。
【００１９】
本発明に係る画像形成装置では、前記抽出画像特定手段は、前記抽出画像に加えて新たに抽出された新規抽出画像を特定し、前記レイアウト設定手段は、設定したページのレイアウトに基づいて、前記新規抽出画像を前記プレビュー画像のページに貼り付けることを特徴とする。
【００２０】
この構成によると、編集されたページと同様のレイアウトで貼り付ける画像を特定することができる。
【００２１】
本発明に係る画像編集方法は、原稿画像を記憶する記憶装置と、前記原稿画像を表示する表示部と、前記原稿画像を用紙に画像形成する画像形成部と、ユーザからの指示の入力を受け付ける入力部とを備える画像形成装置における画像編集方法であって、プレビュー指示手段に、１または複数のページで構成されたプレビュー画像を前記表示部に表示させることを指示させるプレビュー指示ステップと、抽出画像特定手段に、前記表示部に表示された複数の原稿画像からユーザに選択された１または複数の原稿画像を抽出して抽出画像として特定させる抽出画像特定ステップと、貼付ページ特定手段に、前記表示部に表示された前記プレビュー画像のうち、ユーザに選択された１つのページを貼付ページとして特定させる貼付ページ特定ステップと、プレビュー編集手段に、前記抽出画像特定手段によって特定された抽出画像を前記貼付ページ特定手段によって特定された貼付ページに貼り付け、該貼付ページに貼り付けられた該抽出画像の数に基づいて、該貼付ページに対する該抽出画像の大きさを決定して、前記プレビュー画像を編集させるプレビュー編集ステップとを含み、前記画像形成部に、前記プレビュー編集手段で編集された前記プレビュー画像を用紙に画像形成させることを特徴とする。
【００２２】
この構成によると、本発明に係る画像形成装置と同様の機能、作用を実現することができる。
【発明の効果】
【００２３】
本発明によると、ユーザが必要とする画像と画像を貼り付けるページとを特定することによって、それぞれのページに対するレイアウトの自由度を向上させることができる。つまり、それぞれのページに対して貼り付ける画像の数を任意に設定することができる。
【図面の簡単な説明】
【００２４】
【図１】本発明の実施の形態に係る画像形成装置の概略構成図である。
【図２Ａ】１の抽出画像領域を配置した基本レイアウトを示す説明図である。
【図２Ｂ】２の抽出画像領域を配置した基本レイアウトを示す説明図である。
【図２Ｃ】４の抽出画像領域を配置した基本レイアウトを示す説明図である。
【図２Ｄ】８の抽出画像領域を配置した基本レイアウトを示す説明図である。
【図２Ｅ】１６の抽出画像領域を配置した基本レイアウトを示す説明図である。
【図３】プレビュー画像に貼り付けられた抽出画像を拡大する画像処理を示す説明図である。
【図４】プレビュー画像に貼り付けられた抽出画像を回転する画像処理を示す説明図である。
【図５】表示部に表示される表示画面１を示す説明図である。
【図６】表示部に表示される表示画面２を示す説明図である。
【図７】表示部に表示される表示画面３を示す説明図である。
【図８】表示部に表示される表示画面４を示す説明図である。
【図９】表示部に表示されるメッセージ画面１を示す説明図である。
【図１０】表示部に表示されるメッセージ画面２を示す説明図である。
【図１１】表示部に表示される編集画面１を示す説明図である。
【図１２】表示部に表示される編集画面２を示す説明図である。
【図１３】本発明の実施の形態に係る画像形成装置で、用紙に画像形成する場合の処理フローを示すフロー図である。
【図１４】本発明の実施の形態に係る画像形成装置で、プレビュー画像を編集する場合のプレビュー編集処理フローを示すフロー図である。
【図１５】本発明の実施の形態に係る画像形成装置で、プレビュー画像を編集する場合の画像編集処理フローを示すフロー図である。
【発明を実施するための形態】
【００２５】
以下、本発明の実施の形態に係る画像形成装置について、図面に基づいて説明する。
【００２６】
図１は、本発明の実施の形態に係る画像形成装置の概略構成図である。
【００２７】
本発明の実施の形態に係る画像形成装置１は、原稿画像ＧＧを記憶する記憶装置７と、原稿画像ＧＧを表示する表示部５と、原稿画像ＧＧを用紙に画像形成する画像形成部６とを備える。画像形成装置１は、１または複数のページで構成されたプレビュー画像ＰＧを表示部５に表示させることを指示するプレビュー指示手段２１と、表示部５に表示されたプレビュー画像ＰＧを編集するプレビュー編集手段２２と、表示部５に表示された原稿画像ＧＧから抽出して抽出画像ＴＧ（図１２参照）として特定する抽出画像特定手段２３と、プレビュー画像ＰＧの１つのページを貼付ページＴＰ（図１２参照）として特定する貼付ページ特定手段２４とを備える。プレビュー編集手段２２は、抽出画像ＴＧを貼付ページＴＰに貼り付け、貼付ページＴＰに貼り付けられた抽出画像ＴＧの数に基づいて、貼付ページＴＰに対する抽出画像ＴＧの大きさを決定する。画像形成部６は、プレビュー編集手段２２で編集されたプレビュー画像ＰＧを用紙に画像形成する。なお、プレビュー画像ＰＧについては、図５ないし図８に示す表示画面１ないし表示画面４に基づいて詳細に説明する。また、抽出画像ＴＧおよび貼付ページＴＰについては、図１２に示す編集画面２に基づいて詳細に説明する。
【００２８】
この構成によると、ユーザが必要とする画像と画像を貼り付けるページとを特定することによって、それぞれのページに対するレイアウトの自由度を向上させることができる。つまり、それぞれのページに対して貼り付ける画像の数を任意に設定することができる。
【００２９】
画像形成装置１は、貼付ページＴＰに貼り付けられた抽出画像ＴＧに対して画像処理を行うプレビュー画像処理手段２５を備える。この構成によると、画像を貼り付けてから画像処理を行うことができるので、さらに、レイアウトの自由度を向上させることができる。
【００３０】
画像形成装置１は、プレビュー画像ＰＧを記憶装置７に記憶させることを指示するプレビュー記憶指示手段２６を備える。この構成によると、ユーザによって編集されたプレビュー画像ＰＧを記憶させ、記憶装置７から読み出すことで繰り返し編集することができるようになる。
【００３１】
画像形成装置１は、貼付ページＴＰに貼り付けられた抽出画像ＴＧに基づいて、貼付ページＴＰのレイアウトをページレイアウト情報ＰＤとして記憶装置７に記憶させることを指示するレイアウト記憶指示手段２７と、ページレイアウト情報ＰＤに基づいて、プレビュー画像ＰＧのページのレイアウトを設定するレイアウト設定手段２８とを備える。この構成によると、編集されたページのレイアウトを他のページに適用することによって、同様の操作をする手間を省略することができる。なお、ページのレイアウトおよびページレイアウト情報ＰＤについては、後述する図３および図４で説明する。
【００３２】
画像形成装置１は、さらに、入力部４、画像入力部８、入力制御手段２９、表示制御手段３０、および画像形成制御手段３１を備える。
【００３３】
入力部４は、ユーザが指示を入力するためのボタン、キーボードおよびタッチパネルなどである。本実施の形態では、入力部４は、表示部５と一体に形成されたタッチパネルである。なお、本発明はこれに限定されず、表示部５とは別に、キーボードなどを入力部４として備えていてもよい。
【００３４】
画像入力部８は、例えば、セットされた原稿を読み取る画像読取装置である。画像入力部８は、読み取った原稿の画像を原稿画像ＧＧとして記憶装置７に記憶させる。また、画像入力部８は、ネットワークを介して受信した原稿画像ＧＧを記憶装置７に記憶させる。
【００３５】
なお、本実施の形態では、画像入力部８は、１または複数の原稿をまとめて読み取り、原稿画像ＧＧをまとめたものをジョブとして記憶装置７に記憶させる。ジョブとして記憶された原稿画像ＧＧには、読み取った順などに応じた順番が付けられている。また、ジョブは、それぞれを識別するための名前をつけて記憶されている。
【００３６】
入力制御手段２９は、入力部４からの指示を判別して、画像形成装置１を制御する。つまり、ユーザの指などが接したタッチパネルにおける位置や、タッチパネルに接していた時間などから、ユーザの指示を判別する。
【００３７】
表示制御手段３０は、各手段からの指示を受けて表示部５に表示する画像を制御する。
【００３８】
画像形成制御手段３１は、各手段からの指示に基づいて、画像形成部６に画像形成させることを指示する。また、画像形成制御手段３１は、入力部４から受け付けた画像形成条件に基づいて、画像形成部６が用紙に画像形成する際の画像形成条件の設定を指示する。画像形成条件として、例えば、出力カラー、出力濃度、用紙のサイズ、プレビュー画像の拡大／縮小、および両面コピーなどが挙げられる。
【００３９】
記憶装置７は、原稿画像ＧＧ、プレビュー画像ＰＧおよびページレイアウト情報ＰＤを格納するものであって、例えば、ＨＤＤ（Ｈａｒｄ  Ｄｉｓｋ  Ｄｒｉｖｅ）などである。
【００４０】
画像形成部６は、プレビュー画像の１ページを用紙の片面に画像形成する。なお、両面コピーが指示されたとき、プレビュー画像の２ページを用紙の表面および裏面に画像形成する。また、画像形成部６は、画像形成制御手段３１の指示に基づいて、記憶装置７から原稿画像ＧＧおよびプレビュー画像ＰＧを読み出して画像形成してもよい。
【００４１】
プレビュー指示手段２１は、入力部４からの指示に基づいて、新たに生成したプレビュー画像ＰＧを表示部５に表示させるが、記憶装置７に記憶されたプレビュー画像ＰＧを読み出して表示させてもよい。
【００４２】
プレビュー画像処理手段２５は、画像処理として抽出画像ＴＧの拡大、縮小、移動、および回転を行う。この構成によると、レイアウトする際に、ユーザが必要とする画像処理を行うことができる。
【００４３】
プレビュー記憶指示手段２６は、プレビュー画像ＰＧを識別するための名前を付けて記憶装置７に記憶させる。なお、プレビュー画像ＰＧに付けた名前は、ユーザの指示によって適宜変更することができる。
【００４４】
抽出画像特定手段２３は、抽出画像ＴＧに加えて新たに抽出された新規抽出画像を特定する。レイアウト設定手段２８は、設定したページのレイアウトに基づいて、新規抽出画像をプレビュー画像ＰＧのページに貼り付ける。この構成によると、編集されたページと同様のレイアウトで貼り付ける画像を特定することができる。なお、新規抽出画像として、抽出画像ＴＧと同じ原稿画像ＧＧを抽出してもよい。また、新規抽出画像は、プレビュー画像ＰＧの貼付ページＴＰを除く他のページに貼り付けられる。
【００４５】
プレビュー指示手段２１、プレビュー編集手段２２、抽出画像特定手段２３、貼付ページ特定手段２４、プレビュー画像処理手段２５、プレビュー記憶指示手段２６、レイアウト記憶指示手段２７、レイアウト設定手段２８、入力制御手段２９、表示制御手段３０、および画像形成制御手段３１は、画像形成装置１が有するＣＰＵ２（中央処理装置）に対して予め組み込まれたコンピュータプログラム（コンピュータ）によって実現される。
【００４６】
本実施の形態に係る画像形成装置１は、複数の抽出画像ＴＧを１枚の用紙に集約して画像形成する集約機能を備える。つまり、画像形成装置１は、抽出画像ＴＧが貼り付けられたプレビュー画像ＰＧの１ページを１枚の用紙に画像形成する。画像形成装置１は、予め設定されたページの基本レイアウトに基づいて、プレビュー画像ＰＧに抽出画像ＴＧを配置し、抽出画像ＴＧの数によって、抽出画像ＴＧのサイズを決定する。
【００４７】
次に、抽出画像ＴＧのサイズについて、図２Ａないし図２Ｅに基づいて説明する。
【００４８】
図２Ａないし図２Ｅでは、プレビュー画像ＰＧのページは長方形であって、長辺が縦方向と平行に配置されている。以下では説明のため、抽出画像ＴＧ、抽出画像領域ＴＡおよびプレビュー画像ＰＧの長辺が縦方向と平行となる配置を縦向きと呼ぶことがあり、抽出画像ＴＧ、抽出画像領域ＴＡおよびプレビュー画像ＰＧの長辺が横方向と平行となる配置を横向きと呼ぶことがある。なお、抽出画像領域ＴＡは、抽出画像領域ＴＡのサイズ以下の抽出画像ＴＧが貼り付けられる領域であって、抽出画像ＴＧが貼り付けられていない抽出画像領域ＴＡは空白となる。また、抽出画像ＴＧのサイズは、抽出画像領域ＴＡの範囲内であれば、適宜調節することができる。
【００４９】
図２Ａは、１の抽出画像領域を配置した基本レイアウトを示す説明図である。
【００５０】
プレビュー画像ＰＧの１ページに縦向きの抽出画像領域ＴＡが配置されている。抽出画像領域ＴＡのサイズは、プレビュー画像ＰＧとほぼ同じ大きさであって、このサイズを「１ｉｎ１」と呼ぶ。
【００５１】
図２Ｂは、２の抽出画像領域を配置した基本レイアウトを示す説明図である。
【００５２】
プレビュー画像ＰＧの１ページに２の横向きの抽出画像領域ＴＡが配置されている。２つの抽出画像領域ＴＡは、縦に並べて配置されている。抽出画像領域ＴＡのサイズは、プレビュー画像ＰＧを横方向に２等分したサイズとほぼ同じ大きさであって、このサイズを「２ｉｎ１」と呼ぶ。
【００５３】
図２Ｃは、４の抽出画像領域を配置した基本レイアウトを示す説明図である。
【００５４】
プレビュー画像ＰＧの１ページに４の縦向きの抽出画像領域ＴＡが配置されている。プレビュー画像ＰＧは、縦方向に２等分され横方向に２等分されており、分割されたそれぞれの部分に抽出画像領域ＴＡが配置されている。抽出画像領域ＴＡのサイズは、分割されたプレビュー画像ＰＧの１つの部分とほぼ同じ大きさであって、このサイズを「４ｉｎ１」と呼ぶ。
【００５５】
図２Ｄは、８の抽出画像領域を配置した基本レイアウトを示す説明図である。
【００５６】
プレビュー画像ＰＧの１ページに８の横向きの抽出画像領域ＴＡが配置されている。プレビュー画像ＰＧは、縦方向に２等分され横方向に４等分されており、分割されたそれぞれの部分に抽出画像領域ＴＡが配置されている。抽出画像領域ＴＡのサイズは、分割されたプレビュー画像ＰＧの１つの部分とほぼ同じ大きさであって、このサイズを「８ｉｎ１」と呼ぶ。
【００５７】
図２Ｅは、１６の抽出画像領域を配置した基本レイアウトを示す説明図である。
【００５８】
プレビュー画像ＰＧの１ページに１６の縦向きの抽出画像領域ＴＡが配置されている。プレビュー画像ＰＧは、縦方向に４等分され横方向に４等分されており、分割されたそれぞれの部分に抽出画像領域ＴＡが配置されている。抽出画像領域ＴＡのサイズは、分割されたプレビュー画像ＰＧの１つの部分とほぼ同じ大きさであって、このサイズを「１６ｉｎ１」と呼ぶ。
【００５９】
なお、本発明はこれに限定されず、１６より多い抽出画像領域ＴＡを配置した基本レイアウトを備えていてもよい。つまり、抽出画像領域ＴＡのサイズを小さくすることによって、さらに多くの抽出画像ＴＧを配置することができる。
【００６０】
プレビュー編集手段２２は、抽出画像ＴＧの数に基づいて、基本レイアウトを選択する。つまり、１つの抽出画像ＴＧをプレビュー画像ＰＧに貼り付けるとき、抽出画像ＴＧのサイズを「１ｉｎ１」とし、それに加えて、追加の抽出画像ＴＧを貼り付けるとき、全ての抽出画像ＴＧのサイズを「２ｉｎ１」とする。抽出画像ＴＧのサイズを変更することによって、それぞれの抽出画像ＴＧが重ならないようにすることができる。また、２つの抽出画像ＴＧが貼り付けられたプレビュー画像ＰＧに、さらに１つの抽出画像ＴＧを貼り付けるとき、抽出画像ＴＧのサイズを「４ｉｎ１」とする。このように、設定された数より多い抽出画像ＴＧを貼り付けるとき、プレビュー編集手段２２は、最適な基本レイアウトを選択して抽出画像ＴＧのサイズを変更する。
【００６１】
画像形成装置１では、基本レイアウトに基づいて、抽出画像に画像処理を施すことによって、ページのレイアウトを設定することができる。
【００６２】
図３は、プレビュー画像に貼り付けられた抽出画像を拡大する画像処理を示す説明図である。
【００６３】
プレビュー画像ＰＧ１には、それぞれサイズが「４ｉｎ１」の抽出画像ＴＧａ１、抽出画像ＴＧｂ１、および抽出画像ＴＧｃ１が貼り付けられており、右下部分は空白とされている。
【００６４】
まず、プレビュー画像処理手段２５によって、左下に配置された抽出画像ＴＧｃ１が右に向かって拡大されると、プレビュー画像ＰＧ２において、サイズが「２ｉｎ１」の抽出画像ＴＧｃ２となる。
【００６５】
次に、抽出画像ＴＧｃ２を上に向かって拡大する。抽出画像ＴＧｃ２が抽出画像ＴＧａ１および抽出画像ＴＧｂ１と重なるように拡大されたとき、プレビュー画像ＰＧ３では、プレビュー画像処理手段２５によって、抽出画像ＴＧａ１および抽出画像ＴＧｂ１は、「８ｉｎ１」のサイズに縮小された抽出画像ＴＧａ２および抽出画像ＴＧｂ２とされる。抽出画像ＴＧａ２および抽出画像ＴＧｂ２を縮小することによって、抽出画像ＴＧｃ３が他の画像と重ならないレイアウトとすることができる。抽出画像ＴＧｃ３は、６つの「８ｉｎ１」の抽出画像領域ＴＡを合わせた抽出画像領域ＴＡに貼り付けられている。
【００６６】
なお、他の抽出画像ＴＧと重なるように抽出画像ＴＧを移動した際に、プレビュー画像処理手段２５によって、他の抽出画像ＴＧを縮小してもよい。
【００６７】
図４は、プレビュー画像に貼り付けられた抽出画像を回転する画像処理を示す説明図である。
【００６８】
プレビュー画像ＰＧ４には、それぞれサイズが「４ｉｎ１」の抽出画像ＴＧｄ、抽出画像ＴＧｅ、抽出画像ＴＧｆ、および抽出画像ＴＧｇ１が貼り付けられている。
【００６９】
プレビュー画像処理手段２５によって、抽出画像ＴＧｇ１を９０度回転させる。抽出画像ＴＧｇ１が回転したとき、サイズが「４ｉｎ１」のままでは抽出画像ＴＧｆと重なるため、プレビュー画像ＰＧ５において、抽出画像ＴＧｇ１は、「８ｉｎ１」のサイズに縮小された抽出画像ＴＧｇ２となる。
【００７０】
なお、図４では、抽出画像ＴＧｇ１が縮小される場合について示したが、本発明はこれに限定されず、例えば、抽出画像ＴＧｇ１のサイズを「４ｉｎ１」のまま回転させ、抽出画像ＴＧｆを縮小させてもよい。
【００７１】
本実施の形態において、レイアウト記憶指示手段２７は、プレビュー画像ＰＧにおける抽出画像ＴＧの数、サイズ、向き、および位置をページレイアウト情報ＰＤとして、記憶装置７に記憶させる。このような用紙における画像の配置などをページのレイアウトと呼ぶ。
【００７２】
図５は、表示部に表示される表示画面１を示す説明図である。
【００７３】
表示画面１は、表示部５に表示され、プレビュー画像表示領域Ａ１、機能設定キーＫ１、アクションパネルキーＫ２、タスクトリガーキーＫ３、アクションパネル表示キーＫ４、ページ選択キーＫ５、およびプレビューモード切替キーＫ６を備える。なお、本実施の形態において、表示部５は、タッチパネルであるので、入力部４としても機能する。つまり、ユーザが表示部５に表示された項目を選択することによって、画像形成装置１に対する操作を入力することができる。
【００７４】
プレビュー画像表示領域Ａ１には、プレビュー指示手段２１によってプレビュー画像ＰＧの表示が指示されたとき、プレビュー画像ＰＧが表示される。表示画面１では、プレビュー画像ＰＧの１ページが表示されている。なお、プレビュー画像表示領域Ａ１にジョブとしてまとめられた原稿画像ＧＧを表示してもよい。原稿画像ＧＧを表示する際は、１つの原稿画像ＧＧがプレビュー画像ＰＧの１ページに相当する。
【００７５】
機能設定キーＫ１は、複数の画像形成設定キーＫ１ａ、プレビュー編集キーＫ１ｂ、および格納キーＫ１ｃで構成されている。画像形成設定キーＫ１ａは、上述した画像形成条件の入力を受け付ける。プレビュー編集キーＫ１ｂは、プレビュー編集手段２２にプレビュー画像ＰＧの編集処理を実行させる指示を受け付け、プレビュー編集手段２２は、表示制御手段３０に後述する編集画面１を表示させる指示をする。格納キーＫ１ｃは、表示制御手段３０に対する指示を受け付け、表示部５に表示する機能設定キーＫ１のサイズを変更する（図６参照）。つまり、格納キーＫ１ｃを選択することによって、機能設定キーＫ１の拡大／縮小表示を切り替える。なお、表示画面１では、機能設定キーＫ１は拡大表示された状態である。
【００７６】
アクションパネルキーＫ２は、ページ編集キーＫ２ａと編集終了キーＫ２ｂとで構成され、プレビュー画像表示領域Ａ１に表示されたプレビュー画像ＰＧに対する指示を受け付ける。ページ編集キーＫ２ａを選択することによって、プレビュー編集手段２２に、ページの追加、ページの削除、およびページの順序の入れ替えといったプレビュー画像ＰＧの編集処理を実行させる。編集終了キーＫ２ｂを選択することによって、表示制御手段３０は、表示部５に後述するメッセージ画面１（図９参照）を表示させる。
【００７７】
タスクトリガーキーＫ３は、画像形成キーＫ３ａ、画像読取キーＫ３ｂ、およびプレビュー指示キーＫ３ｃで構成される。画像形成キーＫ３ａが選択されたとき、画像形成制御手段３１は、設定された画像形成条件に基づいて、画像形成部６に画像形成を実行させる指示をする。また、画像読取キーＫ３ｂが選択されたとき、画像入力部８は、セットされた原稿の読み取りを実行する。プレビュー指示キーＫ３ｃが選択されたとき、プレビュー指示手段２１は、プレビュー画像表示領域Ａ１にプレビュー画像ＰＧを表示させる指示をする。
【００７８】
アクションパネル表示キーＫ４は、表示制御手段３０に対する指示を受け付け、アクションパネルキーＫ２およびタスクトリガーキーＫ３の表示／非表示の切り替える。
【００７９】
ページ選択キーＫ５は、表示制御手段３０に対する指示を受け付け、プレビュー画像表示領域Ａ１に表示されたプレビュー画像ＰＧのページを変更する。つまり、ページ選択キーＫ５でプレビュー画像ＰＧの１ページを選択することによって、貼付ページ特定手段２４は、貼付ページＴＰを特定することができる。なお、貼付ページＴＰを特定する方法は、これに限らず、プレビュー画像表示領域Ａ１に表示されたプレビュー画像ＰＧから１ページを選択することによって、貼付ページＴＰを特定してもよい。
【００８０】
プレビューモード切替キーＫ６は、表示制御手段３０に対する指示を受け付け、プレビュー画像表示領域Ａ１に表示されたプレビュー画像ＰＧの表示形式を切り替え、図６ないし図８に示す表示画面２ないし表示画面４を表示部５に表示させる。なお、本実施の形態では、複数のプレビューモード切替キーＫ６を備え、それぞれに対応する表示画面を表示させるが、プレビューモード切替キーＫ６を１つにして、表示画面を順に切り替えるようにしてもよい。
【００８１】
次に、表示画面１とは異なるプレビュー画像ＰＧの表示形式とされた表示画面２ないし表示画面４について説明する。なお、表示画面２ないし表示画面４は、表示画面１と同様の構成とされているので、機能、構成が実質的に等しい構成要素については、同一の符号を付して説明を省略する。
【００８２】
図６は、表示部に表示される表示画面２を示す説明図である。
【００８３】
表示画面２では、プレビュー画像表示領域Ａ１にプレビュー画像ＰＧが立体的に表示され、ユーザが複数のページを視覚的に把握できるようにされている。つまり、斜めから視た２ページが雑誌の見開きのように向き合わせて表示され、他のページが少しずらして重なる位置に表示されている。なお、表示画面２では、機能設定キーＫ１は縮小表示された状態である。また、アクションパネルキーＫ２およびタスクトリガーキーＫ３は表示されている。
【００８４】
図７は、表示部に表示される表示画面３を示す説明図である。
【００８５】
表示画面３では、プレビュー画像表示領域Ａ１にプレビュー画像ＰＧの複数のページがサムネイル表示されている。全てのページが表示されていないとき、ページ選択キーＫ５によって、表示するページを切り替えることができる。ここで、ページ選択キーＫ５は、表示画面１と異なる表示とされているが、プレビュー画像ＰＧの表示形式に応じて、適宜選択することができる。なお、表示画面３では、機能設定キーＫ１は縮小表示された状態である。また、アクションパネルキーＫ２およびタスクトリガーキーＫ３は表示されている。
【００８６】
図８は、表示部に表示される表示画面４を示す説明図である。
【００８７】
表示画面４では、プレビュー画像表示領域Ａ１にプレビュー画像ＰＧの複数のページが横に並べて表示されている。全てのページが表示されていないとき、ページ選択キーＫ５によって、表示するページを切り替えることができる。なお、表示画面４では、機能設定キーＫ１は縮小表示された状態である。また、アクションパネルキーＫ２およびタスクトリガーキーＫ３は表示されていない。
【００８８】
なお、プレビュー画像表示領域Ａ１に表示されたプレビュー画像ＰＧの１ページを選択することによって、表示画面２ないし表示画面４から表示画面１に切り替えることができる。また、機能設定キーＫ１、アクションパネルキーＫ２、およびタスクトリガーキーＫ３を表示する形式によって、プレビュー画像表示領域Ａ１の大きさが適宜調整される。
【００８９】
図９は、表示部に表示されるメッセージ画面１を示す説明図である。
【００９０】
メッセージ画面１では、プレビュー編集手段２２に対するプレビュー編集処理の終了の指示を受け付ける。なお、メッセージ画面１は他の画面の上に重ねて表示してもよく、例えば、表示画面１ないし表示画面４の上にメッセージ画面１を表示してもよい。
【００９１】
本実施の形態では、メッセージ画面１に「はい」および「いいえ」が表示され、「はい」が選択されたとき、表示制御手段３０は、メッセージ画面１に代えて、図１０に示すメッセージ画面２を表示させる。また、「いいえ」が選択されたとき、ユーザがプレビュー画像ＰＧの編集を継続できるように、メッセージ画面１は非表示とされる。
【００９２】
図１０は、表示部に表示されるメッセージ画面２を示す説明図である。
【００９３】
メッセージ画面２では、プレビュー記憶指示手段２６に対する記憶処理の指示を受け付け、プレビュー記憶指示手段２６は、記憶装置７にプレビュー画像ＰＧを記憶させる。なお、メッセージ画面２は他の画面の上に重ねて表示してもよく、例えば、表示画面１ないし表示画面４の上にメッセージ画面２を表示してもよい。
【００９４】
本実施の形態では、メッセージ画面２に「はい」および「いいえ」が表示され、「はい」が選択されたとき、プレビュー記憶指示手段２６によって、記憶処理が実行される。なお、「はい」および「いいえ」のいずれかが選択されたとき、メッセージ画面２は非表示とされる。
【００９５】
図１１は、表示部に表示される編集画面１を示す説明図である。
【００９６】
編集画面１は、表示画面１ないし表示画面４と同様の構成であって、さらに、ジョブ表示領域Ａ２を備える。なお、編集画面１では、機能設定キーＫ１は拡大表示されている。また、アクションパネルキーＫ２およびタスクトリガーキーＫ３は表示されていない。
【００９７】
ジョブ表示領域Ａ２には、記憶装置７に記憶されたジョブの一覧として、ジョブに対応する名前がサムネイル表示されている。なお、ジョブに対応する名前とともに、ジョブのなかで最初の原稿画像ＧＧを表示してもよい。サムネイル表示されたジョブが選択されたとき、表示制御手段３０は、後述する編集画面２（図１２参照）を表示させる。
【００９８】
さらに、ジョブ表示領域Ａ２には、記憶装置７に記憶されたプレビュー画像ＰＧがサムネイル表示されている。ここでは、プレビュー画像ＰＧとして、例えば、対応する名前や最初のページなどが表示されている。サムネイル表示されたプレビュー画像ＰＧが選択されたとき、表示制御手段３０は、プレビュー画像表示領域Ａ１に選択されたプレビュー画像ＰＧを表示する。
【００９９】
また、編集画面１には、スクロールキーＫ７が設けられている。全てのジョブおよびプレビュー画像ＰＧが表示されていないとき、スクロールキーＫ７を操作することによって、表示するジョブおよびプレビュー画像ＰＧを切り替えることができる。
【０１００】
プレビュー画像表示領域Ａ１には、表示画面１と同様の表示形式でプレビュー画像ＰＧが表示されているが、プレビューモード切替キーＫ６によって、表示画面２ないし表示画面４の表示形式に切り替えることができる。また、ページ選択キーＫ５によって、貼付ページＴＰを特定することができる。
【０１０１】
図１２は、表示部に表示される編集画面２を示す説明図である。
【０１０２】
編集画面２は、編集画面１と同様の構成であって、ジョブ表示領域Ａ２に代えて、原稿画像表示領域Ａ３を備える。また、編集画面２は、さらにレイアウト設定キーＫ９およびジョブ表示キーＫ１０を備える。
【０１０３】
原稿画像表示領域Ａ３には、ジョブ表示領域Ａ２で選択されたジョブに対応する原稿画像ＧＧがサムネイル表示されている。ここで、原稿画像ＧＧは、付けられた順番に応じて表示されている。
【０１０４】
また、編集画面２には、スクロールキーＫ８が設けられている。全ての原稿画像ＧＧが表示されていないとき、スクロールキーＫ８を操作することによって、表示する原稿画像ＧＧを切り替えることができる。
【０１０５】
レイアウト設定キーＫ９は、レイアウト記憶指示手段２７およびレイアウト設定手段２８に対する指示を受け付ける。
【０１０６】
ジョブ表示キーＫ１０は、表示制御手段３０にジョブの表示を指示し、表示制御手段３０は、原稿画像表示領域Ａ３に代えて、ジョブ表示領域Ａ２を表示させる。つまり、ジョブ表示キーＫ１０が選択されたとき、表示部５には、編集画面２に代えて編集画面１が表示される。
【０１０７】
編集画面１および編集画面２では、ユーザの入力によって、プレビュー画像ＰＧを編集する指示を受け付ける。
【０１０８】
プレビュー画像表示領域Ａ１では、プレビュー画像ＰＧに貼り付けられた抽出画像ＴＧに対する画像処理を受け付ける。上述したように、プレビュー画像ＰＧに貼り付けられた抽出画像ＴＧを選択することによって、プレビュー画像処理手段２５は、抽出画像ＴＧに対して画像処理を施す（例えば、図３および図４参照。）。
【０１０９】
原稿画像表示領域Ａ３では、サムネイル表示された原稿画像ＧＧが選択されたとき、抽出画像特定手段２３が選択された原稿画像ＧＧを抽出画像ＴＧとして特定する。そして、貼付ページ特定手段２４によって貼付ページＴＰが特定されたとき、抽出画像ＴＧが貼付ページＴＰに貼り付けられる。ここで、ページ選択キーＫ５によって、抽出画像ＴＧを貼り付けたいページをユーザに選択させてもよい。また、ユーザがプレビュー画像表示領域Ａ１に表示されたプレビュー画像ＰＧの１ページを選択することによって、貼付ページ特定手段２４が貼付ページＴＰを特定してもよい。
【０１１０】
また、抽出画像特定手段２３は、複数の原稿画像ＧＧが選択されたとき、選択された原稿画像ＧＧを新規抽出画像として特定する。ここで、ユーザに複数の原稿画像ＧＧのうち全てを選択させてもよい。また、ユーザに２つの原稿画像ＧＧを選択させ、原稿画像ＧＧに付けられた順番に基づいて、抽出画像特定手段２３が複数の原稿画像ＧＧを選択してもよい。
【０１１１】
レイアウト設定キーＫ９が選択されたとき、レイアウト記憶指示手段２７は、プレビュー画像表示領域Ａ１に表示された貼付ページＴＰのページレイアウト情報ＰＤを記憶させる指示をして、レイアウト設定手段２８は、ページレイアウト情報ＰＤに基づいてプレビュー画像ＰＧのレイアウトを設定する。つまり、貼付ページＴＰと同じレイアウトで、貼付ページＴＰ以外のページに新規抽出画像を貼り付ける。なお、プレビュー画像ＰＧの空白のページが足りないとき、プレビュー編集手段２２は、プレビュー画像ＰＧに空白のページを追加する。
【０１１２】
なお、新規抽出画像が特定されていないときにレイアウト設定キーＫ９が選択された場合、抽出画像特定手段２３は、原稿画像表示領域Ａ３に表示された原稿画像ＧＧを新規抽出画像として特定し、新規抽出画像をプレビュー画像ＰＧに貼り付ける。
【０１１３】
図１３は、本発明の実施の形態に係る画像形成装置で、用紙に画像形成する場合の処理フローを示すフロー図である。
【０１１４】
ステップＳ１０１では、画像入力部８で受け取った原稿画像ＧＧを記憶装置７に記憶させる。なお、予め記憶装置７に記憶された原稿画像ＧＧおよびプレビュー画像ＰＧを画像形成する場合は、ステップＳ１０１を省略することができる。
【０１１５】
ステップＳ１０２では、プレビュー指示手段２１によって、プレビュー画像ＰＧの表示を指示されたかどうかが判断される。プレビュー画像ＰＧの表示を指示されたとき（ステップＳ１０２：Ｙｅｓ）、ステップＳ１０３へ進む。プレビュー画像ＰＧの表示を指示されなかったとき（ステップＳ１０２：Ｎｏ）、ステップＳ１０８へ進む。
【０１１６】
ステップＳ１０３では、プレビュー指示手段２１によって、プレビュー画像表示領域Ａ１にプレビュー画像ＰＧを表示させる（例えば、図５参照）。ここで、プレビュー指示手段２１は、ステップＳ１０１で記憶させた原稿画像ＧＧに基づいて、プレビュー画像ＰＧを生成する。なお、ステップＳ１０１を省略した場合は、表示するプレビュー画像ＰＧをユーザに選択させる。
【０１１７】
ステップＳ１０４では、プレビュー編集手段２２によって、プレビュー画像ＰＧの編集を指示されたかどうかが判断される。プレビュー画像ＰＧの編集を指示されたとき（ステップＳ１０４：Ｙｅｓ）、後述するプレビュー編集処理（図１４参照）を実行してステップＳ１０５へ進む。プレビュー画像ＰＧの編集を指示されなかったとき（ステップＳ１０４：Ｎｏ）、ステップＳ１０８へ進む。
【０１１８】
ステップＳ１０５では、表示制御手段３０によって、表示部５にメッセージ画面２（図１０参照）を表示させる。
【０１１９】
ステップＳ１０６では、プレビュー記憶指示手段２６によって、プレビュー画像ＰＧの記憶処理を指示されたかどうかが判断される。プレビュー画像ＰＧの記憶処理を指示されたとき（ステップＳ１０６：Ｙｅｓ）、ステップＳ１０７へ進む。プレビュー画像ＰＧの記憶処理を指示されなかったとき（ステップＳ１０６：Ｎｏ）、ステップＳ１０８へ進む。
【０１２０】
ステップＳ１０７では、プレビュー記憶指示手段２６によって、記憶装置７にプレビュー画像ＰＧを記憶させる。
【０１２１】
ステップＳ１０８では、画像形成制御手段３１によって、画像形成の実行を指示されたかどうかが判断される。画像形成の実行を指示されたとき（ステップＳ１０８：Ｙｅｓ）、ステップＳ１０９へ進む。画像形成の実行を指示されなかったとき（ステップＳ１０８：Ｎｏ）、処理を終了する。
【０１２２】
ステップＳ１０９では、画像形成部６によって、用紙への画像形成が実行され、処理を終了する。なお、ステップＳ１０７でプレビュー画像の記憶処理を指示されなかったとき、画像形成部６は、プレビュー編集手段２２で編集されたプレビュー画像ＰＧを用紙に画像形成する。
【０１２３】
図１４は、本発明の実施の形態に係る画像形成装置で、プレビュー画像を編集する場合のプレビュー編集処理フローを示すフロー図である。
【０１２４】
ステップＳ２０１では、表示制御手段３０によって、ジョブ表示領域Ａ２にジョブの一覧を表示させる（上述した図１１参照）。
【０１２５】
ステップＳ２０２では、入力制御手段２９によって、ジョブ表示領域Ａ２からジョブを選択されたかどうかが判断される。つまり、ユーザによってジョブが選択されるまで待機する。ジョブが選択されたとき（ステップＳ２０２：Ｙｅｓ）、ステップＳ２０３へ進む。なお、ジョブが選択されないときに（ステップＳ２０２：Ｎｏ）編集終了キーＫ２ｂが選択されたときは、後述するステップＳ２０９へ進んでもよい。
【０１２６】
ステップＳ２０３では、表示制御手段３０によって、原稿画像表示領域Ａ３に原稿画像ＧＧを表示させる（上述した図１２参照）。
【０１２７】
ステップＳ２０４では、入力制御手段２９によって、アクションパネルキーＫ２を選択されたかどうかが判断される。アクションパネルキーＫ２が選択されたとき（ステップＳ２０４：Ｙｅｓ）、ステップＳ２０６へ進む。アクションパネルキーＫ２が選択されなかったとき（ステップＳ２０４：Ｎｏ）、ステップＳ２０５へ進む。
【０１２８】
ステップＳ２０５では、入力制御手段２９によって、ジョブの表示を指示されたかどうかが判断される。ジョブの表示が指示された場合、つまり、ジョブ表示キーＫ１０が選択されたとき（ステップＳ２０５：Ｙｅｓ）、ステップＳ２０１へ戻る。ジョブの表示を指示されなかったとき、後述する画像編集処理（図１５参照）をして、ステップＳ２０４へ戻る。
【０１２９】
ステップＳ２０６では、入力制御手段２９によって、ページ編集キーＫ２ａを選択されたかどうかが判断される。ページ編集キーＫ２ａが選択されたとき（ステップＳ２０６：Ｙｅｓ）、ステップＳ２０７へ進む。ページ編集キーＫ２ａが選択されなかったとき（ステップＳ２０６：Ｎｏ）、ステップＳ２０８へ進む。
【０１３０】
ステップＳ２０７では、プレビュー編集手段２２によって、プレビュー画像ＰＧのページ編集処理が実行される。
【０１３１】
ステップＳ２０８では、入力制御手段２９によって、編集終了キーＫ２ｂを選択されたかどうかが判断される。編集終了キーＫ２ｂが選択されたとき（ステップＳ２０８：Ｙｅｓ）、ステップＳ２０９へ進む。編集終了キーＫ２ｂが選択されなかったとき（ステップＳ２０８：Ｎｏ）、ステップＳ２０４へ戻る。
【０１３２】
ステップＳ２０９では、表示制御手段３０によって、表示部５にメッセージ画面１を表示させる（上述した図９参照）。
【０１３３】
ステップＳ２１０では、入力制御手段２９によって、プレビュー編集処理の終了を指示されたかどうかが判断される。プレビュー編集処理の終了を指示されたとき（ステップＳ２１０：Ｙｅｓ）、プレビュー編集処理を終了して上述したステップＳ１０５へ進む。プレビュー編集処理の終了を指示されなかったとき（ステップＳ２１０：Ｎｏ）、メッセージ画面１が非表示とされ、ステップＳ２０１へ戻る。
【０１３４】
図１５は、本発明の実施の形態に係る画像形成装置で、プレビュー画像を編集する場合の画像編集処理フローを示すフロー図である。
【０１３５】
ステップＳ３０１では、入力制御手段２９によって、原稿画像表示領域Ａ３の原稿画像ＧＧを選択されたかどうかが判断される。原稿画像ＧＧが選択されたとき（ステップＳ３０１：Ｙｅｓ）、ステップＳ３０２へ進む。原稿画像ＧＧが選択されなかったとき（ステップＳ３０１：Ｎｏ）、ステップＳ３１０へ進む。
【０１３６】
ステップＳ３０２では、抽出画像特定手段２３によって、ステップＳ３０１で選択された原稿画像ＧＧが抽出画像ＴＧとして特定される。
【０１３７】
ステップＳ３０３では、貼付ページ特定手段２４によって、プレビュー画像ＰＧの貼付ページＴＰを選択されたかどうかが判断される。つまり、ページ選択キーＫ５またはユーザの入力によって、プレビュー画像ＰＧの１ページを選択されているかどうかが判断される。貼付ページＴＰが選択されたとき（ステップＳ３０３：Ｙｅｓ）、ステップＳ３０４へ進む。貼付ページＴＰが選択されなかったとき（ステップＳ３０３：Ｎｏ）、ステップＳ３０５へ進む。
【０１３８】
ステップＳ３０４では、プレビュー編集手段２２によって、プレビュー画像ＰＧの貼付ページＴＰに抽出画像ＴＧが貼り付けられ、ステップＳ３１０へ進む。
【０１３９】
ステップＳ３０５では、入力制御手段２９によって、原稿画像表示領域Ａ３の他の原稿画像ＧＧを選択されたかどうかが判断される。つまり、ステップＳ３０２で特定された抽出画像ＴＧに加えてさらに、原稿画像ＧＧを選択されたかどうかが判断される。他の原稿画像ＧＧが選択されたとき（ステップＳ３０５：Ｙｅｓ）、ステップＳ３０６へ進む。他の原稿画像ＧＧが選択されなかったとき（ステップＳ３０５：Ｎｏ）、ステップＳ３０３へ戻る。
【０１４０】
ステップＳ３０６では、抽出画像特定手段２３によって、新規抽出画像が特定される。つまり、ステップＳ３０２で特定された抽出画像ＴＧと選択された他の原稿画像ＧＧとをあわせて、新規抽出画像として特定される。
【０１４１】
ステップＳ３０７では、入力制御手段２９によって、レイアウト設定キーＫ９を選択されたかどうかが判断される。つまり、ユーザによってレイアウト設定キーＫ９が選択されるまで待機する。レイアウト設定キーＫ９が選択されたとき（ステップＳ３０７：Ｙｅｓ）、ステップＳ３０８へ進む。なお、レイアウト設定キーＫ９が選択されないとき（ステップＳ３０７：Ｎｏ）、上述したステップＳ３０５へ戻り、ユーザに新たな原稿画像ＧＧを選択させてもよい。つまり、処理を繰り返すことによって、ユーザに複数の原稿画像ＧＧを選択させることができる。
【０１４２】
ステップＳ３０８では、レイアウト記憶指示手段２７によって、記憶装置７にページレイアウト情報ＰＤを記憶させる。
【０１４３】
ステップＳ３０９では、レイアウト設定手段２８によって、プレビュー画像ＰＧに新規抽出画像が貼り付けられ、ステップＳ３１０へ進む。
【０１４４】
ステップＳ３１０では、入力制御手段２９によって、レイアウト設定キーＫ９を選択されたかどうかが判断される。レイアウト設定キーＫ９が選択されたとき（ステップＳ３１０：Ｙｅｓ）、ステップＳ３１１へ進む。レイアウト設定キーＫ９が選択されなかったとき（ステップＳ３１０：Ｎｏ）、ステップＳ３１３へ進む。
【０１４５】
ステップＳ３１１では、レイアウト記憶指示手段２７によって、記憶装置７にページレイアウト情報ＰＤを記憶させる。
【０１４６】
ステップＳ３１２では、抽出画像特定手段２３によって新規抽出画像が特定され、レイアウト設定手段２８によってプレビュー画像ＰＧに新規抽出画像が貼り付けられる。つまり、原稿画像表示領域Ａ３に表示された原稿画像ＧＧが新規抽出画像として特定される。
【０１４７】
ステップＳ３１３では、入力制御手段２９によって、プレビュー画像表示領域Ａ１の抽出画像ＴＧを選択されたかどうかが判断される。抽出画像ＴＧが選択されたとき（ステップＳ３１３：Ｙｅｓ）、ステップＳ３１４へ進む。抽出画像ＴＧが選択されなかったとき（ステップＳ３１３：Ｎｏ）、画像編集処理を終了して上述したステップＳ２０４へ戻る。
【０１４８】
ステップＳ３１４では、プレビュー画像処理手段２５によって、抽出画像ＴＧに画像処理が実行され（例えば、図３および図４参照）、画像編集処理を終了して上述したステップＳ２０４へ戻る。
【０１４９】
なお、図１３ないし図１５には示していないが、画像形成設定キーＫ１ａ、格納キーＫ１ｃ、アクションパネル表示キーＫ４、ページ選択キーＫ５、プレビューモード切替キーＫ６、スクロールキーＫ７、およびスクロールキーＫ８を選択することによって、対応する指示をすることができる。
【０１５０】
本発明の実施の形態に係る画像編集方法は、原稿画像ＧＧを記憶する記憶装置７と、原稿画像ＧＧを表示する表示部５と、原稿画像ＧＧを用紙に画像形成する画像形成部６とを備える画像形成装置１における画像編集方法であって、プレビュー指示手段２１に、１または複数のページで構成されたプレビュー画像ＰＧを表示部５に表示させることを指示させるプレビュー指示ステップと、プレビュー編集手段２２に、表示部５に表示されたプレビュー画像ＰＧを編集させるプレビュー編集ステップと、抽出画像特定手段２３に、表示部５に表示された原稿画像ＧＧから抽出して抽出画像ＴＧとして特定させる抽出画像特定ステップと、貼付ページ特定手段２４に、プレビュー画像ＰＧの１つのページを貼付ページＴＰとして特定させる貼付ページ特定ステップとを備え、プレビュー編集ステップは、プレビュー編集手段２２に、抽出画像ＴＧを貼付ページＴＰに貼り付けさせ、貼付ページＴＰに貼り付けられた抽出画像ＴＧの数に基づいて、貼付ページＴＰに対する抽出画像ＴＧの大きさを決定させ、画像形成部６に、プレビュー編集手段２２で編集されたプレビュー画像ＰＧを用紙に画像形成させることを特徴とする。この構成によると、本発明に係る画像形成装置１と同様の機能、作用を実現することができる。
【０１５１】
本発明の実施の形態に係る画像編集方法は、プレビュー画像処理手段２５に、貼付ページＴＰに貼り付けられた抽出画像ＴＧに対して画像処理を行わせるプレビュー画像処理ステップを備えることを特徴とする。
【０１５２】
本発明の実施の形態に係る画像編集方法では、プレビュー画像処理ステップは、プレビュー画像処理手段２５に、画像処理として抽出画像ＴＧの拡大、縮小、移動、および回転を行わせることを特徴とする。
【０１５３】
本発明の実施の形態に係る画像編集方法は、プレビュー記憶指示手段２６に、プレビュー画像ＰＧを記憶装置７に記憶させることを指示させるプレビュー記憶指示ステップを備えることを特徴とする。
【０１５４】
本発明の実施の形態に係る画像編集方法は、レイアウト記憶指示手段２７に、貼付ページＴＰに貼り付けられた抽出画像ＴＧに基づいて、貼付ページＴＰのレイアウトをページレイアウト情報ＰＤとして記憶装置７に記憶させることを指示させるレイアウト記憶指示ステップと、レイアウト設定手段２８に、ページレイアウト情報ＰＤに基づいて、プレビュー画像ＰＧのページのレイアウトを設定させるレイアウト設定ステップとを備えることを特徴とする。
【０１５５】
本発明の実施の形態に係る画像編集方法では、抽出画像特定ステップは、抽出画像特定手段２３に、抽出画像ＴＧに加えて新たに抽出された新規抽出画像を特定させ、レイアウト設定ステップは、レイアウト設定手段２８に、設定したページのレイアウトに基づいて、新規抽出画像をプレビュー画像ＰＧのページに貼り付けさせることを特徴とする。
【符号の説明】
【０１５６】
１  画像形成装置
２  ＣＰＵ
２１  プレビュー指示手段
２２  プレビュー編集手段
２３  抽出画像特定手段
２４  貼付ページ特定手段
２５  プレビュー画像処理手段
２６  プレビュー記憶指示手段
２７  レイアウト記憶指示手段
２８  レイアウト設定手段
２９  入力制御手段
３０  表示制御手段
３１  画像形成制御手段
４  入力部
５  表示部
６  画像形成部
７  記憶装置
８  画像入力部
ＧＧ  原稿画像
ＰＧ  プレビュー画像
ＴＧ  抽出画像
ＴＰ  貼付ページ
ＰＤ  ページレイアウト情報
【図１】
0005677822.tif 000002
【図２Ａ】
0005677822.tif 000003
【図２Ｂ】
0005677822.tif 000004
【図２Ｃ】
0005677822.tif 000005
【図２Ｄ】
0005677822.tif 000006
【図２Ｅ】
0005677822.tif 000007
【図３】
0005677822.tif 000008
【図４】
0005677822.tif 000009
【図５】
0005677822.tif 000010
【図６】
0005677822.tif 000011
【図７】
0005677822.tif 000012
【図８】
0005677822.tif 000013
【図９】
0005677822.tif 000014
【図１０】
0005677822.tif 000015
【図１１】
0005677822.tif 000016
【図１２】
0005677822.tif 000017
【図１３】
0005677822.tif 000018
【図１４】
0005677822.tif 000019
【図１５】
0005677822.tif 000020